【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
バウチャーの発行方法において、
グローバル・ディストリビューション・システムの有体のコンピュータ読み取り可能媒体部分に複数の現実パッセンジャー・ネーム・レコードを格納し、該複数の現実パッセンジャー・ネーム・レコードは、その各々が少なくとも識別データと旅程に関するデータとを含んでおり、
電子計算機ハードウエアプラットフォームで操作するソフトウエアを介して仮想パッセンジャー・ネーム・レコードを生成し、該仮想パッセンジャー・ネーム・レコードは少なくとも識別データと、仮想旅程に関するデータと、額面金額とを含んでおり、前記仮想旅程に関するデータが、実際には存在しない少なくとも部分的に仮の旅行計画を表し、
前記仮想パッセンジャー・ネーム・レコードを前記グローバル・ディストリビューション・システムの有体のコンピュータ読み取り可能媒体部分に格納し、
費用金額が含まれた旅行計画情報を受取り、
前記仮想パッセンジャー・ネーム・レコードを現実パッセンジャー・ネーム・レコードに変換し、該変換が、前記費用金額の少なくとも一部に対して前記額面金額の少なくとも一部を充当することを少なくとも含み、
前記変換で得られた現実パッセンジャー・ネーム・レコードを前記グローバル・ディストリビューション・システムの有体のコンピュータ読み取り可能媒体部分に格納する、
ことを含む方法。
【請求項２】
前記額面金額の前記少なくとも一部が前記費用金額の前記少なくとも一部より大きい場合に、前記変換を禁止する、  
ことを更に含む請求項１記載の方法。
【請求項３】
仮想パッセンジャー・ネーム・レコードの前記生成が、
前記グローバル・ディストリビューション・システムから１つの現実パッセンジャー・ネーム・レコードを選択し、
前記選択した現実パッセンジャー・ネーム・レコードの内容に変更を加えて前記仮想パッセンジャー・ネーム・レコードに変更する、
ことを更に含む請求項１記載の方法。
【請求項４】
前記変換が、
前記選択した現実パッセンジャー・ネーム・レコードの全体のうち、前記選択した現実パッセンジャー・ネーム・レコードの旅程のうちの利用済旅程部分に対応した部分を抹消し、
前記選択した現実パッセンジャー・ネーム・レコードの旅程のうちの未利用旅程部分に基づいて前記額面金額を設定する、
ことを更に含む請求項３記載の方法。
【請求項５】
仮想パッセンジャー・ネーム・レコードの前記生成が、
前記グローバル・ディストリビューション・システムから１つの現実パッセンジャー・ネーム・レコードを選択し、
前記選択した現実パッセンジャー・ネーム・レコードに含まれる情報に少なくとも部分的に基づいて仮想パッセンジャー・ネームを生成する、
ことを更に含む請求項１記載の方法。
【請求項６】
前記額面金額を、ユーザが、ギフト券の総額を表すものとして設定する、
請求項１記載の方法。
【請求項７】
前記額面金額を、航空会社が、ユーザに支払う補償金の額を表すものとして設定する、
請求項１記載の方法。
【請求項８】
前記仮想パッセンジャー・ネーム・レコードと前記現実パッセンジャー・ネーム・レコードとは互いに同一のデータベース・フォーマットを有する、
請求項１記載の方法。
【請求項９】
前記変換により得られた前記現実パッセンジャー・ネーム・レコードに基づいてチケットを発券する、
ことを更に含む請求項１記載の方法。
【請求項１０】
バウチャーの発行方法において、
データベース・ネットワークの有体のコンピュータ読み取り可能媒体部分に複数の現実トラベル・レコードを格納し、それらトラベル・レコードは、その各々に少なくとも識別データと旅程に関するデータとが関連付けられており、
電子計算機ハードウエアプラットフォームで操作するソフトウエアを介して仮想トラベル・レコードを生成し、該仮想トラベル・レコードには、少なくとも識別データと、仮想旅程に関するデータと、額面金額とが関連付けられており、前記仮想旅程に関するデータが、実際には存在しない少なくとも部分的に仮の旅行計画を表し、
前記仮想トラベル・レコードを前記データベース・ネットワークの有体のコンピュータ読み取り可能媒体部分に格納し、
費用金額が含まれた旅行計画情報を受取り、
電子計算機ハードウエアプラットフォームで操作するソフトウエアを介して該仮想パッセンジャー・ネーム・レコードを現実トラベル・レコードに変換し、該変換が、前記費用金額の少なくとも一部に対して前記額面金額の少なくとも一部を充当することを少なくとも含み、
前記変換で得られた現実トラベル・レコードを前記共通データベースの有体のコンピュータ読み取り可能媒体部分に格納し、
前記仮想トラベル・レコードと前記現実トラベル・レコードとは互いに同一のデータベース・フォーマットを有する、
ことを含む方法。
【請求項１１】
前記額面金額の前記少なくとも一部が前記費用金額の前記少なくとも一部より大きい場合に、前記変換を禁止する、
ことを更に含む請求項１０記載の方法。
【請求項１２】
仮想トラベル・レコードの前記生成が、
前記グローバル・ディストリビューション・システムから１つの現実パーソナル・トラベル・レコードを選択し、
前記選択した現実パーソナル・トラベル・レコードの内容に変更を加えて前記仮想パーソナル・トラベル・レコードとする、
ことを更に含む請求項１０記載の方法。
【請求項１３】
前記変換が、
前記選択した現実パーソナル・トラベル・レコードの全体のうち、前記選択した現実パーソナル・トラベル・レコードの旅程のうちの利用済旅程部分に対応した部分を抹消し、
前記選択した現実パーソナル・トラベル・レコードの旅程のうちの未利用旅程部分に基づいて前記額面金額を設定する、
ことを更に含む請求項１０記載の方法。
【請求項１４】
仮想トラベル・レコードの前記生成が、
前記グローバル・ディストリビューション・システムから１つの現実パーソナル・トラベル・レコードを選択し、
前記選択した現実パーソナル・トラベル・レコードに含まれる情報に少なくとも部分的に基づいて仮想パッセンジャー・ネーム・レコードを生成する、
ことを更に含む請求項１０記載の方法。
【請求項１５】
前記額面金額を、ユーザが、ギフト券の総額を表すものとして設定する、
請求項１０記載の方法。
【請求項１６】
前記額面金額を、航空会社が、ユーザに支払う補償金の額を表すものとして設定する、
請求項１０記載の方法。
【請求項１７】
前記仮想パーソナル・トラベル・レコードと前記現実トラベル・レコードとは互いに同一のオンライン・ポータルを介してアクセス可能である、
請求項１０記載の方法。
【請求項１８】
バウチャーの発行方法において、
グローバル・ディストリビューション・システムの有体のコンピュータ読み取り可能媒体部分に複数の現実パッセンジャー・ネーム・レコードを格納し、該複数の現実パッセンジャー・ネーム・レコードは、その各々に、少なくとも識別データと旅程に関するデータとが関連付けられており、
電子計算機ハードウエアプラットフォームで操作するソフトウエアを介して仮想パッセンジャー・ネーム・レコードを生成し、該仮想パッセンジャー・ネーム・レコードには、少なくとも識別データと、仮想旅程に関するデータと、額面金額とが関連付けられており、前記仮想旅程に関するデータが、実際には存在しない少なくとも部分的に仮の旅行計画を表し、
前記仮想パッセンジャー・ネーム・レコードを、支払充当可能な残高金額を表すレコードであるものと指定し、
前記仮想パッセンジャー・ネーム・レコードを、前記グローバル・ディストリビューション・システムの有体のコンピュータ読み取り可能媒体部分に格納し、
前記仮想トラベル・レコードと前記現実トラベル・レコードとは互いに同一のデータベース・フォーマットを有する、
ことを含む方法。
【請求項１９】
仮想パッセンジャー・ネーム・レコードの前記生成が、
前記グローバル・ディストリビューション・システムから１つの現実パッセンジャー・ネーム・レコードを選択し、
前記選択した現実パッセンジャー・ネーム・レコードに含まれる情報に少なくとも部分的に基づいて前記仮想パッセンジャー・ネーム・レコードを生成する、
ことを更に含む請求項１８記載の方法。
【請求項２０】
前記額面金額を、ユーザが、ギフト券の総額を表すものとして設定する、
請求項１８記載の方法。
【請求項２１】
前記額面金額を、航空会社が、ユーザに支払う補償金の額を表すものとして設定する、
請求項１８記載の方法。
【請求項２２】
トラベル・バウチャーによる支払充当の処理方法において、
グローバル・ディストリビューション・システムの有体のコンピュータ読み取り可能媒体部分から１つの仮想パッセンジャー・ネーム・レコードを読出し、該仮想パッセンジャー・ネーム・レコードには、少なくとも識別データと、仮想旅程に関するデータと、額面金額とが関連付けられており、前記仮想旅程に関するデータが、実際には存在しない少なくとも部分的に仮の旅行計画を表し、
費用金額が含まれた旅行計画情報を受取り、
電子計算機ハードウエアプラットフォームで操作するソフトウエアを介して前記仮想パッセンジャー・ネーム・レコードを現実パッセンジャー・ネーム・レコードに変換し、該変換が、前記費用金額の少なくとも一部に対して前記額面金額の少なくとも一部を充当することを少なくとも含み、
前記変換で得られた現実パッセンジャー・ネーム・レコードを前記グローバル・ディストリビューション・システムの有体のコンピュータ読み取り可能媒体部分に格納する、
ことを含む方法。
【請求項２３】
前記額面金額の前記少なくとも一部が前記費用金額の前記少なくとも一部より大きい場合に、前記変換を禁止する、
ことを更に含む請求項２２記載の方法。
【請求項２４】
仮想パッセンジャー・ネーム・レコードの前記生成が、
前記グローバル・ディストリビューション・システムから１つの現実パッセンジャー・ネーム・レコードを選択し、
前記選択した現実パッセンジャー・ネーム・レコードの内容に変更を加えて前記仮想パッセンジャー・ネーム・レコードに変更する、
ことを更に含む請求項２２記載の方法。
【請求項２５】
前記変換が、
前記選択した現実パッセンジャー・ネーム・レコードの全体のうち、前記選択した現実パッセンジャー・ネーム・レコードの旅程のうちの利用済旅程部分に対応した部分を抹消し、
前記選択した現実パッセンジャー・ネーム・レコードの旅程のうちの未利用旅程部分に基づいて前記額面金額を設定する、
ことを更に含む請求項２２記載の方法。
【請求項２６】
仮想パッセンジャー・ネーム・レコードの前記生成が、
前記グローバル・ディストリビューション・システムから１つの現実パッセンジャー・ネーム・レコードを選択し、
前記選択した現実パッセンジャー・ネーム・レコードに含まれる情報に少なくとも部分的に基づいて前記仮想パッセンジャー・ネーム・レコードを生成する、
ことを更に含む請求項２２記載の方法。
【請求項２７】
前記額面金額を、ユーザが、ギフト券の総額を表すものとして設定する、
請求項２２記載の方法。
【請求項２８】
前記額面金額を、航空会社が、ユーザに支払う補償金の額を表すものとして設定する、
請求項２２記載の方法。
【請求項２９】
前記仮想パッセンジャー・ネーム・レコードと前記現実パッセンジャー・ネーム・レコードとは互いに同一のデータベース・フォーマットを有する、
請求項２２記載の方法。
【請求項３０】
前記変換により得られた前記現実パッセンジャー・ネーム・レコードに基づいてチケットを発券する、
ことを更に含む請求項２２記載の方法。